(57)【特許請求の範囲】
【請求項１】
排気管の途中に備えたケーシングの内部に、排気ガスを浄化する浄化材を抱持し、該浄化材に対し排気ガスを反転させて導入するよう構成された排気浄化装置であって、
前記浄化材の入側端面を被包し且つ該浄化材における流れ方向と逆向きに導いた排気ガスを曲管部を介し反転させて前記浄化材の入側端面に対し斜め側方から分散させつつ導入するガス分散室を備え、
前記ガス分散室から前記ケーシングに至る経路の途中に、前記曲管部内で流れ方向に沿った面を成して排気流れを曲がり方向内側の排気流れと曲がり方向外側の排気流れとに分割する板状の分流部と、該分流部から曲がり方向内側に屈曲しつつ下流方向に延長され、前記ケーシングの曲がり方向外側の内壁よりも曲がり方向内側の位置で前記浄化材における流れ方向に沿った面を成す板状の誘導部と、
前記分流部の流れ方向に関して左右から屈曲しつつ前記曲管部の曲がり方向内側の内壁に向かって延長される板状の支持部を備え、
該支持部と、前記分流部と、前記曲管部の内壁とで閉断面の流路を形成するよう構成された整流フィンを配したことを特徴とする排気浄化装置。
【請求項２】
前記分流部は、曲がり方向外側に向かって凸な断面形状を有していることを特徴とする請求項１に記載の排気浄化装置。
【請求項３】
前記誘導部は、曲がり方向外側に向かって凸な断面形状を有していることを特徴とする請求項１又は２に記載の排気浄化装置。
【発明の詳細な説明】
【技術分野】
【０００１】
本発明は、排気浄化装置に関する。
【背景技術】
【０００２】
近年、排気管の途中に排気ガス中のパティキュレートを捕集するパティキュレートフィルタを備えると共に、該パティキュレートフィルタの下流側に酸素共存下でも選択的にＮＯｘをアンモニアと反応させ得る選択還元型触媒を備え、該選択還元型触媒と前記パティキュレートフィルタとの間に還元剤として尿素水を添加してパティキュレートとＮＯｘの同時低減を図ることが提案されている。
【０００３】
この場合、選択還元型触媒への尿素水の添加は、パティキュレートフィルタと選択還元型触媒との間で行われることになるため、排気ガス中に添加された尿素水がアンモニアと炭酸ガスに加水分解されるまでの十分な反応時間を確保しようとすれば、尿素水の添加位置から選択還元型触媒までの距離を長くする必要があるが、パティキュレートフィルタと選択還元型触媒とを十分な距離を隔てて離間配置させると、車両への搭載性が著しく損なわれてしまう。
【０００４】
このため、本発明と同じ出願人により図１０に示す如きコンパクトな排気浄化装置が既に提案されており、ここに図示している排気浄化装置では、エンジンからの排気ガス１が流通する排気管２の途中に、排気ガス１中のパティキュレートを捕集するパティキュレートフィルタ３と、該パティキュレートフィルタ３の下流側に酸素共存下でも選択的にＮＯｘをアンモニアと反応させ得る性質を備えた選択還元型触媒４の二種類の浄化材を、ケーシング５，６によりそれぞれ抱持して並列に配置している。そして、パティキュレートフィルタ３の出側端部と選択還元型触媒４の入側端部との間がＳ字構造の連絡流路７により接続され、パティキュレートフィルタ３の出側端部から排出された排気ガス１が逆向きに折り返されて隣の選択還元型触媒４の入側端部に導入されるようになっている。
【０００５】
ここで、連絡流路７は、パティキュレートフィルタ３の出側端部を包囲し且つ該出側端部から出た直後の排気ガス１を略直角な向きに方向転換させつつ集合せしめるガス集合室７Ａと、該ガス集合室７Ａで集められた排気ガス１をパティキュレートフィルタ３における流れ方向と逆向きに抜き出すミキシングパイプ７Ｂと、該ミキシングパイプ７Ｂにより導かれた排気ガス１を曲管部１１を介し反転させて選択還元型触媒４の入側端面に対し斜め側方から分散させつつ導入し得るよう該入側端部を包囲するガス分散室７ＣとでＳ字構造を成すように構成されており、ミキシングパイプ７Ｂの入側端部の中心位置には、該ミキシングパイプ７Ｂ内に尿素水を添加するためのインジェクタ８がミキシングパイプ７Ｂの出側端部側へ向けて装備されている。
【０００６】
尚、ここに図示している例では、前記二種類の浄化材（パティキュレートフィルタ３、選択還元型触媒４）に加え、パティキュレートフィルタ３が抱持されているケーシング５内の前段に排気ガス１中の未燃燃料分を酸化処理する酸化触媒９を、選択還元型触媒４が抱持されているケーシング６内の後段に余剰のアンモニアを酸化処理するアンモニア低減触媒１０を、それぞれ浄化材として装備している。
【０００７】
そして、このような構成を採用すれば、パティキュレートフィルタ３により排気ガス１中のパティキュレートが捕集されると共に、その下流側のミキシングパイプ７Ｂの途中でインジェクタ８から尿素水が排気ガス１中に添加されてアンモニアと炭酸ガスに分解され、選択還元型触媒４上で排気ガス１中のＮＯｘがアンモニアにより良好に還元浄化される結果、排気ガス１中のパティキュレートとＮＯｘの同時低減が図られることになる。
【０００８】
この際、パティキュレートフィルタ３の出側端部から排出された排気ガス１が連絡流路７により逆向きに折り返されてから隣の選択還元型触媒４の入側端部に導入されるようになっているので、尿素水の添加位置から選択還元型触媒４までの距離が長く確保され、尿素水からアンモニアが生成されるのに十分な反応時間が確保される。
【０００９】
しかも、パティキュレートフィルタ３と選択還元型触媒４とが並列に配置され、これらパティキュレートフィルタ３と選択還元型触媒４との間に沿うように連絡流路７が配置されているので、その全体構成がコンパクトなものとなって車両への搭載性が大幅に向上されることになる。
【００１０】
一方、このように選択還元型触媒４に対し排気ガス１を反転させて導入する形式では、排気ガス１が反転する際、その曲がり方向の外側に排気ガス１が偏って流れ易くなり、浄化材である選択還元型触媒４に対し排気ガス１が不均一に導入されて、本来発揮されるべき浄化性能が十分に引き出されない懸念がある。
【００１１】
例えば、一般に触媒の浄化性能は温度に左右されるが、排気ガス１が選択還元型触媒４に対し偏って導入されると、選択還元型触媒４内に温度の偏りが発生する。そして、排気ガス１が多く流れる曲がり方向外側では排気ガス１によって十分に昇温されるために浄化性能が高くなる一方、排気ガス１の流れの少ない曲がり方向内側では浄化性能が相対的に低くなり、選択還元型触媒４のうちでも実質的に機能するのは曲がり方向外側のみといった事態が起こり得る。また、高温の排気ガス１が常に曲がり方向外側に偏って導入されることにより、曲がり方向外側において触媒性能の劣化が相対的に速く進む結果、選択還元型触媒４全体としての寿命が短くなってしまう問題もある。同様のことはアンモニア低減触媒１０に関しても言え、選択還元型触媒４に偏って流入した排気ガス１が偏りを残したまま下流のアンモニア低減触媒１０に導入される結果、やはり浄化性能や劣化速度に偏りが発生してしまう。
【００１２】
また、選択還元型触媒４の場合、流入する排気ガス１にはインジェクタ８から噴射された還元剤が含まれている。排気ガス１の偏りに伴い、この還元剤が選択還元型触媒４に対し偏って供給されると、部分的に選択還元型触媒４の浄化性能を超える量の還元剤が供給されるということが起こり得、分解されずに残った余剰量の還元剤によって選択還元型触媒４の腐食の進行を招いてしまう。また、選択還元型触媒４の曲がり方向外側にはこのように過剰な量の還元剤が供給され得る一方、曲がり方向内側には相対的に少ない量の還元剤しか供給されず、本来の浄化性能に対して見合った量の還元剤を適切に供給することが難しい。このため、浄化性能が十分に発揮できないことに加え、還元剤の消費量の増大にも繋がる虞がある。このように、排気浄化装置に装備される浄化材一般に関して、排気ガス１はなるべく偏りなく均一に導入されることが様々な観点から望ましい。
【００１３】
こうした問題に対処するため、図１０に示した例の場合、ガス分散室７Ｃには、選択還元型触媒４の入側端面に対し離間する方向へ反り且つ曲管部１１から排気ガス１の導入方向へ離れるに従い選択還元型触媒４の入側端面に近接するようにした窪み部１２が形成されており、この窪み部１２により排気ガス１の流れが抑え込まれ、曲がり方向の外側に相対的に多くの排気ガス１が偏って流れてしまう傾向が是正されるようにしてある。
【００１４】
また、曲管部１１の直前位置に窪み部１３が形成されており、この窪み部１３により曲管部１１の直前位置で曲がり方向内側の部分を一旦外側に振ることで屈曲部分の曲率を小さくして曲がり具合を緩やかなものとし、排気ガス１の流れを極力円滑に曲げて選択還元型触媒４の入側端面へと導けるようにしてある。
【００１５】
尚、１４はセンサであり、ここに示した例では、ケーシング６の選択還元型触媒４の直前における曲がり方向外側と、アンモニア低減触媒１０の直後における曲がり方向外側の位置にそれぞれ設置してある。センサ１４としては、排気圧を測定する圧力センサや、排気温度を測定する温度センサ、排気中に含まれるパティキュレートやＮＯｘ等の各種物質を検出するＰＭセンサやＮＯｘセンサ等、各種の型式のものが想定される。
【００１６】
この種の排気浄化装置に関連する先行技術文献としては、下記の特許文献１等がある。
【先行技術文献】
【特許文献】
【００１７】
【特許文献１】特開２００９−６８４１５号公報
【発明の概要】
【発明が解決しようとする課題】
【００１８】
しかしながら、上記従来構造の如く曲管部１１に窪み部１２や窪み部１３を備えて排気ガス１の流れを誘導しても、実際のエンジンの設計や排気流路の形状等によっては反転後の排気流れの偏りを完全に解消するまでには至らず、選択還元型触媒４に流れる排気ガス１の主流が依然として選択還元型触媒４の中心より曲がり方向外側に流れてしまう場合があった。よって、窪み部１２や窪み部１３を備えることによって排気流れの偏りは是正されているとしても、これだけでは未だ十分とは言えず、さらなる改善が望まれていた。
【００１９】
また、図１０に示した例では、ケーシング６における選択還元型触媒４の直前及びアンモニア低減触媒１０の直後におけるそれぞれ曲がり方向外側の位置にセンサ１４を備えているが、この配置は上述した排気ガス１の偏りによる。すなわち、センサ１４を用いて排気ガス１に関する各種の計測を精度良く行うためには、センサ１４に対し一定量の排気ガス１を安定して供給することが効果的であるが、排気ガス１の主流が上述の如く曲がり方向外側を流れる以上、センサ１４の流路に対する設置位置も曲がり方向外側とする必要がある。一方、センサ１４を取り付けるにあたっては、センサボスを溶接するためにある程度のスペースを要するし、さらに複数のセンサ１４を設置する場合には、該センサ１４同士が干渉しないよう互いに離間させる必要もある。すなわち、排気ガス１の流れが流路内で偏っている結果、センサ１４の取り付けに適した箇所は限られており、その限られた取付箇所を複数のセンサ１４間で取り合うことになる。こうした制約のため、図１０に示した例では、二個のセンサ１４を選択還元型触媒４の直前とアンモニア低減触媒１０の直後とにそれぞれ設置し、両センサ１４を排気ガス１の多く流れる曲がり方向外側に配置しつつ、二個のセンサ１４同士を互いに離して配置するようにしている。
【００２０】
このような配置にあっては、選択還元型触媒４の直前にセンサ１４を設置するため、この位置に浄化材の収容されないスペースを確保する必要がある。すなわち、この位置において、センサ１４の設置に必要な分だけケーシング６を延長せざるを得ず、排気浄化装置の全長が長くなってしまい、コンパクト化を阻害する要因となっていた。
【００２１】
本発明は上述の実情に鑑みてなしたもので、選択還元型触媒等の浄化材に対し排気ガスを反転させて導入する際、浄化材に導入される排気ガスの流れを均一化し、浄化材の浄化性能を十全に発揮させ得る排気浄化装置を提供しようとするものである。
【課題を解決するための手段】
【００２２】
本発明は、排気管の途中に備えたケーシングの内部に、排気ガスを浄化する浄化材を抱持し、該浄化材に対し排気ガスを反転させて導入するよう構成された排気浄化装置に関し、前記浄化材の入側端面を被包し且つ該浄化材における流れ方向と逆向きに導いた排気ガスを曲管部を介し反転させて前記浄化材の入側端面に対し斜め側方から分散させつつ導入するガス分散室を備え、前記ガス分散室から前記ケーシングに至る経路の途中に、前記曲管部内で流れ方向に沿った面を成して排気流れを曲がり方向内側の排気流れと曲がり方向外側の排気流れとに分割する板状の分流部と、該分流部から曲がり方向内側に屈曲しつつ下流方向に延長され、前記ケーシングの曲がり方向外側の内壁よりも曲がり方向内側の位置で前記浄化材における流れ方向に沿った面を成す板状の誘部と、前記分流部の流れ方向に関して左右から屈曲しつつ前記曲管部の曲がり方向内側の内壁に向かって延長される板状の支持部を備え、該支持部と、前記分流部と、前記曲管部の内壁とで閉断面の流路を形成するよう構成された整流フィンを配したことを特徴とする排気浄化装置にかかるものである。
【００２３】
而して、このようにすれば、排気ガスの主流が内側の排気流れと外側の排気流れとに分割されて内側の排気流れが曲がり方向内側へと誘導され、排気ガスの一部が浄化材に対し曲がり方向内側へ強制的に流入させられる。これにより、浄化材の曲がり方向内側にあたる部分にも確実に排気ガスを誘導することができる。また、分流部によって排気ガスの主流から分割された内側の排気流れが前記流路に流入し、分流部に沿った方向から左右に逸れることなく誘導部まで確実に到達する。
【００２５】
本発明の排気浄化装置において、前記分流部は、曲がり方向外側に向かって凸な断面形状を有していることが好ましく、このようにすれば、分流部と曲管部の曲がり方向外側の内壁との間の距離を、排気流れの左右方向に関して均一化することができる。こうすることにより、分流部と曲管部の曲がり方向外側の内壁との間を流れる外側の排気流れを安定させることができる。
【００２６】
本発明の排気浄化装置において、前記誘導部は、曲がり方向外側に向かって凸な断面形状を有していることが好ましく、このようにすれば、分流部に沿って流れてきた内側の排気流れが誘導部に衝突する際、内側の排気流れが前記誘導部の両脇から左右に逸れて曲がり方向外側に流れてしまうことを防止することができる。
【発明の効果】
【００２７】
本発明の排気浄化装置によれば、以下の如き種々の優れた効果を奏し得る。
【００２８】
（Ｉ）本発明の請求項１に記載の発明によれば、浄化材の曲がり方向内側にあたる部分にも排気ガスを誘導するので、浄化材に導入される排気ガスの流れを均一化し、浄化材の浄化性能を十全に発揮させることができる。また、内側の排気流れが分流部に沿った方向から左右に逸れることなく誘導部まで到達するので、内側の排気流れの曲がり方向内側への誘導をより確実に行うことができる。
【００３０】
（ＩＩ）本発明の請求項２に記載の発明によれば、分流部と曲管部の曲がり方向外側の内壁との間を流れる外側の排気流れを安定させ、整流フィンを設置したことによる排気抵抗の増加を極力抑制することができる。
【００３１】
（ＩＩＩ）本発明の請求項３に記載の発明によれば、内側の排気流れが誘導部の両脇から左右に逸れて曲がり方向外側に流れてしまうことを防止するので、内側の排気流れの曲がり方向内側への誘導をより確実に行うことができる。
【図面の簡単な説明】
【００３２】
【図１】本発明の実施による排気浄化装置の一例（第一実施例）を示す概略断面図である。
【図２】本発明の第一実施例に用いる整流フィンの形態の一例を示す斜視図である。
【図３】本発明の作動を説明する概念図である。
【図４】本発明の第一実施例に用いる整流フィンの形態の別の一例を示す斜視図である。
【図５】本発明の第一実施例に用いる整流フィンの形態の別の一例を示す斜視図である。
【図６】本発明の第一実施例に用いる整流フィンの形態の別の一例を示す斜視図である。
【図７】本発明の第二実施例に用いる整流フィンの形態の一例を示す斜視図である。
【図８】本発明の第二実施例に用いる整流フィンの形態の別の一例を示す斜視図である。
【図９】本発明の第二実施例を示す概略断面図である。
【図１０】従来の排気浄化装置の一例を示す概略断面図である。
【発明を実施するための形態】
【００３３】
以下、本発明の実施の形態を添付図面を参照して説明する。
【００３４】
図１〜図６は本発明の実施による排気浄化装置の形態の一例（第一実施例）を示すものであって、図中、図１０と同一の符号を付した部分は同一物を表している。
【００３５】
本第一実施例の基本的な構成は図１０に示す従来のものと同様であり、図１に示す如く、排気ガス１が流通する排気管２の途中に、パティキュレートフィルタ３とその下流側の選択還元型触媒４の二種類の浄化材をケーシング５，６の内部にそれぞれ抱持して並列に配置すると共に、パティキュレートフィルタ３の後端部と選択還元型触媒４の前端部との間をＳ字構造の連絡流路７により接続し、パティキュレートフィルタ３の後端部から排出された排気ガス１が前方に折り返され、隣の選択還元型触媒４の前端部に導入されるようにしている。連絡流路７は、ガス集合室７Ａ、ミキシングパイプ７Ｂ、ガス分散室７ＣによりＳ字構造を成しており、ガス分散室７Ｃは、選択還元型触媒４における流れ方向と逆向きに導いた排気ガス１を曲管部１１を介し反転させ、選択還元型触媒４の入側端面に対し斜め側方から分散させつつ導入するようになっている。さらに、パティキュレートフィルタ３が抱持されているケーシング５内の前段には酸化触媒９が、選択還元型触媒４が抱持されているケーシング６内の後段にはアンモニア低減触媒１０が、それぞれ浄化材として装備されている。ガス分散室７Ｃには窪み部１２が形成され、曲管部１１の直前位置には窪み部１３が形成されている。
【００３６】
そして、本第一実施例においては、ガス分散室７Ｃからケーシング６に至る経路の途中に整流フィン１５を備え、排気ガス１の流れを誘導するようにしている。
【００３７】
この整流フィン１５は、例えば図２に示す如き形状の部材であり、曲管部１１の途中で排気ガス１の流れ方向に沿った面を成して排気ガス１の流れを曲がり方向内側の排気流れ１ａと曲がり方向外側の排気流れ１ｂとに分割する（図１参照）板状の分流部１５ａと、該分流部１５ａから曲がり方向内側に屈曲しつつ下流方向に延長され、ケーシング６の曲がり方向外側の内壁よりも曲がり方向内側の位置で選択還元型触媒４における流れ方向に沿った面を成す（図１参照）板状の誘導部１５ｂを備えてなる。また、整流フィン１５は分流部１５ａの流れ方向に関して左右から屈曲しつつ曲がり方向内側に延長される（図１参照）板状の支持部１５ｃ，１５ｃを備えており、該支持部１５ｃ，１５ｃの先端に各々備えたフランジ１５ｄ，１５ｄを曲管部１１の曲がり方向内側の内壁１１ａに溶接することにより、分流部１５ａや誘導部１５ｂを流路内に支持するようになっている（図１参照）。そして、整流フィン１５の分流部１５ａと支持部１５ｃ，１５ｃ、曲管部１１の内壁１１ａとで、曲管部１１の曲がり方向内側に閉断面の流路を形成している。
【００３８】
尚、溶接にあたっては、曲管部１１の内壁１１ａをなす部材に必要に応じて図１に示す如く平面を形成し、フランジ１５ｄを溶接するための座面とすることもできる。
【００３９】
また、この整流フィン１５は一枚の板材を屈曲させることで全体を成型することができ、分流部１５ａの成す面と、誘導部１５ｂの成す面は、この屈曲成型により曲線状に滑らかに繋がっている。
【００４０】
また、本第一実施例の場合、二個のセンサ１４がケーシング６のアンモニア低減触媒１０の直後における曲がり方向外側及び内側の位置に、それぞれ設置されている。
【００４１】
上述の整流フィン１５を備えた本第一実施例の作動を、図３を参照して説明する。
【００４２】
ミキシングパイプ７Ｂ（図１参照）の出側からの排気ガス１の流れは、ガス分散室７Ｃに流入して曲管部１１に沿って向きを曲げられ、反転して下流の選択還元型触媒４へと送り込まれる。この際、曲管部１１において、排気ガス１の主流は曲がり方向外側に沿って流れようとする。
【００４３】
ここで、流路内に備えた整流フィン１５の分流部１５ａにより、排気ガス１の主流は分流部１５ａの曲がり方向内側の面に沿った内側の排気流れ１ａと、曲管部１１の曲がり方向外側の内壁１１ｂに沿った外側の排気流れ１ｂとに分割される。そして、内側の排気流れ１ａは、分流部１５ａに沿って流れた後、誘導部１５ｂに衝突して向きを変更され、ケーシング６の長手方向に沿って選択還元型触媒４に流入する。この際、分流部１５ａの成す面と誘導部１５ｂの成す面とが上述の如く曲線状に滑らかに連続しているので、分流部１５ａに沿って流れてきた内側の排気流れ１ａは、誘導部１５ｂに沿った流れへとスムーズに向きを変更される。
【００４４】
そして、誘導部１５ｂの成す面はケーシング６の曲がり方向外側の内壁よりも曲がり方向内側に位置しているので、内側の排気流れ１ａは選択還元型触媒４に対し、相対的に曲がり方向内側に向かって流入することになる。
【００４５】
ここで、本第一実施例においては、分流部１５ａの流れ方向に関して左右から曲がり方向内側に向かって支持部１５ｃ，１５ｃを延長し、分流部１５ａと支持部１５ｃ，１５ｃ及び曲管部１１の内壁１１ａにより閉断面の流路を形成している。このため、分流部１５ａによって排気ガス１の主流から分割された内側の排気流れ１ａは前記流路に流入し、分流部１５ａに沿った方向から左右に逸れることなく、誘導部１５ｂまで確実に到達することになる。
【００４６】
曲管部１１において内側の排気流れ１ａとして主流から分割される排気ガス１の量や、内側の排気流れ１ａを選択還元型触媒４に誘導する位置については、分流部１５ａや誘導部１５ｂの位置を変えることで調整することができる。すなわち、分流部１５ａと、曲管部１１の曲がり方向外側の内壁１１ｂとの距離Ｌ１が短いほど、排気ガス１の全流量に対する内側の排気流れ１ａの割合は大きくなるし、また、誘導部１５ｂと、ケーシング６の曲がり方向内側の内壁との距離Ｌ２が短いほど、選択還元型触媒４への内側の排気流れ１ａの誘導位置が、より曲がり方向内側になる。こうして、整流フィン１５の設置に際し、実際の曲管部１１や選択還元型触媒４における排気流れの分布に合わせて距離Ｌ１とＬ２を調整することにより、選択還元型触媒４に対しなるべく均一に排気ガス１が流入するよう、排気流れの最適化を図ることができる。
【００４７】
一方、外側の排気流れ１ｂは、上記従来構造（図１０参照）における排気ガス１の流れと同様、曲管部１１の曲がり方向外側の内壁１１ｂに沿って流れ、選択還元型触媒４に対し相対的に曲がり方向外側に偏って流入することになる。
【００４８】
このように、本第一実施例においては、流路内に設置した整流フィン１５によって排気ガス１の流れを分割し、内側の排気流れ１ａを選択還元型触媒４に対し曲がり方向内側へ強制的に流入させるようになっている。これにより、選択還元型触媒４に対する排気ガス１の流れの均一化が図られて選択還元型触媒４の浄化材としての性能が十全に発揮される。
【００４９】
すなわち、選択還元型触媒４に導入される排気ガス１が均一化される結果、選択還元型触媒４内における温度の偏りが少なくなり、全体が高温に維持されるため、全体の浄化性能が高く保たれる。また、選択還元型触媒４全体が高温の排気ガス１に均一に曝されることになり、選択還元型触媒４中の一部において相対的に劣化が進むということがないので、選択還元型触媒４全体としての寿命を長く保つことにもなる。
【００５０】
さらに、排気ガス１の流れに偏りがあった従来構造（図１０参照）と比較すると、同等の触媒性能を発揮させるのに必要な触媒が少なくて済むことになり、材料として高価な貴金属を使用する選択還元型触媒４の製造コストを下げることができるほか、排気浄化装置の軽量化やコンパクト化にも資する。
【００５１】
同様に、アンモニア低減触媒１０に関しても、やはり内部に導入される排気ガス１が均一化され、浄化性能や劣化速度の偏りが抑えられる。
【００５２】
また、排気流れの均一化に伴い、還元剤の添加も均一化されるので、選択還元型触媒４の浄化性能に見合った量の還元剤を均一に添加することができる。このため、還元剤の添加量を適量にして消費量を抑えることができると同時に、部分的に過剰な量の還元剤が選択還元型触媒４に添加されることによる腐食の進行も防止できる。
【００５３】
整流フィン１５の設置には、センサ１４の配置に関する自由度を高める効果もある。上記従来構造（図１０参照）の場合、排気ガス１の流れの偏りに合わせ、センサ１４を曲がり方向外側に配置せざるを得なかったが、本第一実施例の場合、排気ガス１をケーシング６内において曲がり方向の外側と内側とにかかわらず均一に流すことができるようになっている。このため、センサ１４を曲がり方向の外側と内側のいずれに配置しても計測を好適に実施することができ、例えば図１に示す如く、二個のセンサ１４をケーシング６のアンモニア低減触媒１０の直後における曲がり方向外側及び内側の位置にそれぞれ設置するといったことが可能となる。よって、図１０に示す従来構造の如く、選択還元型触媒４の上流側にセンサ１４を設置するスペースを確保するといった必要がなく、排気浄化装置全体の更なるコンパクト化を図ることができる。
【００５４】
図４は本第一実施例に用いる整流フィン１５として考え得る別の形状を示したものである。ここに示した整流フィン１５は、分流部１５ａ及び誘導部１５ｂが、曲がり方向外側に向かって凸な横断面を有する曲面状をなしている。曲管部１１の曲がり方向外側の内壁１１ｂは円弧状の横断面をなしているので、図４に示す如き形状に分流部１５ａを形成すれば、外側の排気流れ１ｂの流路の厚み、すなわち分流部１５ａと内壁１１ｂとの間の距離を、排気流れの左右方向（図１及び図３において紙面と直交する方向）に関して均一化することができる。こうすることにより、分流部１５ａと内壁１１ｂとの間を流れる外側の排気流れ１ｂが安定し、気流の乱れの発生が抑えられて排気抵抗の増加が抑制される。すなわち、分流部１５ａをこのような形状にすることで、整流フィン１５を設置することによる排気抵抗の増加を極力抑制するようになっている。
【００５５】
また、誘導部１５ｂも曲がり方向の外側に向かって凸な形状で構成されているので、分流部１５ａに沿って流れてきた内側の排気流れ１ａが誘導部１５ｂに衝突する際、内側の排気流れ１ａが誘導部１５ｂの両脇から左右に逸れて曲がり方向外側に流れてしまうことを防止することができる。これにより、内側の排気流れ１ａは、より確実に曲がり方向内側の選択還元型触媒４に向かって誘導されることになる。
【００５６】
さらに、本形状においては分流部１５ａと誘導部１５ｂが一体の滑らかな連続面をなして形成されているので、分流部１５ａに沿って流れてきた内側の排気流れ１ａはそのまま誘導部１５ｂに沿った流れへとスムーズに変えられ、下流の選択還元型触媒４に向かって無理なく誘導されるようになっている。
【００５７】
ただし、整流フィン１５をこうした曲面形状に成型することには手間やコストがかかるため、例えば図５に示す如く、分流部１５ａや誘導部１５ｂを横断面が曲がり方向外側に凸なハット形となるよう構成することもできる。この形状であれば、図２に示した整流フィン１５と同様に一枚の板材を切り抜いて屈曲することで簡単に成型できる一方、図４に示した形状と同じような作用効果を得ることができる。
【００５８】
あるいは図６に示す如く、分流部１５ａは図２に示した形状と同様の平板状とする一方、誘導部１５ｂは分流部１５ａよりも流れ方向に対し左右に張り出して該張り出し分を曲がり方向内側に屈曲させ、横断面がハット形となるよう形成することもできる。逆に、図示は省略するが、分流部１５ａのみを曲がり方向外側に凸な横断面を有する形状とすることもできる。このように、分流部１５ａや誘導部１５ｂの形状としては、成型の容易さやコスト、作用効果等を勘案して適当なものを選択すれば良い。
【００５９】
以上のように、上記本第一実施例においては、排気管２の途中に備えたケーシング６の内部に、排気ガス１を浄化する浄化材（選択還元型触媒）４を抱持し、該浄化材（選択還元型触媒）４に対し排気ガス１を反転させて導入するよう構成された排気浄化装置に関し、浄化材（選択還元型触媒）４の入側端面を被包し且つ浄化材（選択還元型触媒）４における流れ方向と逆向きに導いた排気ガス１を曲管部１１を介し反転させて浄化材（選択還元型触媒）４の入側端面に対し斜め側方から分散させつつ導入するガス分散室７Ｃを備え、該ガス分散室７Ｃからケーシング６に至る経路の途中に、曲管部１１内で流れ方向に沿った面を成して排気流れを曲がり方向内側の排気流れ１ａと曲がり方向外側の排気流れ１ｂとに分割する板状の分流部１５ａと、該分流部１５ａから曲がり方向内側に屈曲しつつ下流方向に延長され、ケーシング６の曲がり方向外側の内壁よりも曲がり方向内側の位置で浄化材（選択還元型触媒）４における流れ方向に沿った面を成す板状の誘導部１５ｂとを備えた整流フィン１５を配しているので、排気ガス１の主流が内側の排気流れ１ａと外側の排気流れ１ｂとに分割されて内側の排気流れ１ａが曲がり方向内側へと誘導され、排気ガス１の一部が浄化材（選択還元型触媒）４に対し曲がり方向内側へ強制的に流入させられる。これにより、浄化材（選択還元型触媒）４の曲がり方向内側にあたる部分にも排気ガス１を誘導するので、浄化材（選択還元型触媒）４に導入される排気ガス１の流れを均一化し、浄化材（選択還元型触媒）４の浄化性能を十全に発揮させることができる。
【００６０】
また、本第一実施例において、整流フィン１５は、分流部１５ａの流れ方向に関して左右から屈曲しつつ曲管部１１の曲がり方向内側の内壁１１ａに向かって延長される板状の支持部１５ｃ，１５ｃを備え、該支持部１５ｃ，１５ｃと、分流部１５ａと、曲管部１１の内壁１１ａとで閉断面の流路を形成するよう構成されているので、分流部１５ａによって排気ガス１の主流から分割された内側の排気流れ１ａが前記流路に流入し、分流部１５ａに沿った方向から左右に逸れることなく誘導部１５ｂまで確実に到達する。
【００６１】
また、本第一実施例において、分流部１５ａは、曲がり方向外側に向かって凸な断面形状を有して構成することができ、このようにすれば、分流部１５ａと曲管部１１の曲がり方向外側の内壁１１ｂとの間の距離を、排気流れの左右方向に関して均一化することができる。こうすることにより、分流部１５ａと曲管部１１の曲がり方向外側の内壁１１ｂとの間を流れる外側の排気流れ１ｂを安定させ、整流フィン１５を設置したことによる排気抵抗の増加を極力抑制することができる。
【００６２】
また、本第一実施例において、誘導部１５ｂは、曲がり方向外側に向かって凸な断面形状を有して構成することができ、このようにすれば、分流部１５ａに沿って流れてきた内側の排気流れ１ａが誘導部１５ｂに衝突する際、内側の排気流れ１ａが誘導部１５ｂの両脇から左右に逸れて曲がり方向外側に流れてしまうことを防止し、内側の排気流れ１ａの曲がり方向内側への誘導をより確実に行うことができる。
【００６３】
図７〜図９は本発明の実施による排気浄化装置の形態の別の一例（第二実施例）を示すものであって、図中、図１〜図６及び図１０と同一の符号を付した部分は同一物を表している。
【００６４】
本第二実施例の場合、整流フィン１５における支持部１５ｃ，１５ｃの設置位置が上記第一実施例（図２、図４〜６参照）とは異なっている。図７に示した整流フィン１５では、分流部１５ａ及び誘導部１５ｂの形状は図５に示した第一実施例の整流フィン１５と同様であるが、分流部１５ａの流れ方向に関して左右両側から延長される板状の支持部１５ｃ，１５ｃが、図５に示した例とは逆に曲がり方向外側に向かって屈曲している。
【００６５】
また、図８に示した整流フィン１５の場合、分流部１５ａ及び誘導部１５ｂの形状は図４に示した整流フィン１５と同様であるが、支持部１５ｃ，１５ｃは分流部１５ａではなく、誘導部１５ｂの左右両側から延長されている。延長する向きは図７に示した整流フィン１５の場合と同じく、曲がり方向外側である。
【００６６】
こうした構成は、整流フィン１５の取り付けを考慮したものである。すなわち、上記第一実施例として挙げた図２や図４〜図６の如き形状の整流フィン１５を曲がり方向内側の内壁１１ａに溶接する場合には、図１に示す如く、内壁１１ａに部分的に平面を設けて溶接座面とすることが考えられるが、曲管部１１の曲がり方向内側の内壁１１ａは、この座面を設ける以前に、小さい曲げ半径により強く屈曲した形状となっている。このため、内壁１１ａに対しさらに変形を加えて平面を形成することは技術的に難しいか、あるいはコストが嵩んでしまう場合がある。また、溶接用の工具を使用するスペース上の制約の面からも、内壁１１ａに対し溶接を施すことが難しい場合があることも考えられる。
【００６７】
そこで、本第二実施例では、図７、図８に示す如く、分流部１５ａまたは誘導部１５ｂの左右両側から曲管部１１の曲がり方向外側の内壁１１ｂに向かって延びる支持部１５ｃを整流フィン１５に備え、支持部１５ｃの先端に備えたフランジ１５ｄを、図９に示す如く内壁１１ｂに対して溶接するようにしている（図９では、整流フィン１５として図７に示す形状のものを図示している）。この場合、フランジ１５ｄの溶接座面とするための平面は、曲管部１１の内壁１１ｂをなす部材に形成することになるが、曲がり方向外側の部材は、曲がり方向内側の部材のように強く屈曲してはいないため、平面を形成する加工が容易である。また、溶接の作業にあたっても溶接用の工具等を差し込みやすく、比較的容易に溶接を実施することができる。
【００６８】
このように、本第二実施例では、支持部１５ｃを曲がり方向外側に向かって延長し、フランジ１５ｄを曲がり方向内側の内壁１１ａではなく外側の内壁１１ｂに溶接するように構成した結果、流路内に整流フィン１５を備えるにあたり、上記第一実施例と比較して簡単に取り付けることができるようになっている。ただし、本第二実施例の場合、分流部１５ａや誘導部１５ｂに関しては上記第一実施例と同様の位置（図１参照）に備えることができるものの、支持部１５ｃ，１５ｃが分流部１５ａや曲管部１１の内壁１１ａとで閉断面の流路を形成するようにはなっていないため、内側の排気流れ１ａを前記流路に流入させて確実に誘導部１５ｂへと導くという作用は得ることができない。
【００６９】
以上のように、上記本第二実施例においては、排気管２の途中に備えたケーシング６の内部に、排気ガス１を浄化する浄化材（選択還元型触媒）４を抱持し、該浄化材（選択還元型触媒）４に対し排気ガス１を反転させて導入するよう構成された排気浄化装置に関し、浄化材（選択還元型触媒）４の入側端面を被包し且つ浄化材（選択還元型触媒）４における流れ方向と逆向きに導いた排気ガス１を曲管部１１を介し反転させて浄化材（選択還元型触媒）４の入側端面に対し斜め側方から分散させつつ導入するガス分散室７Ｃを備え、該ガス分散室７Ｃからケーシング６に至る経路の途中に、曲管部１１内で流れ方向に沿った面を成して排気流れを曲がり方向内側の排気流れ１ａと曲がり方向外側の排気流れ１ｂとに分割する板状の分流部１５ａと、該分流部１５ａから曲がり方向内側に屈曲しつつ下流方向に延長され、ケーシング６の曲がり方向外側の内壁よりも曲がり方向内側の位置で浄化材（選択還元型触媒）４における流れ方向に沿った面を成す板状の誘導部１５ｂとを備えた整流フィン１５を配しているので、排気ガス１の主流が内側の排気流れ１ａと外側の排気流れ１ｂとに分割されて内側の排気流れ１ａが曲がり方向内側へと誘導され、排気ガス１の一部が浄化材（選択還元型触媒）４に対し曲がり方向内側へ強制的に流入させられる。これにより、浄化材（選択還元型触媒）４の曲がり方向内側にあたる部分にも排気ガス１を誘導するので、浄化材（選択還元型触媒）４に導入される排気ガス１の流れを均一化し、浄化材（選択還元型触媒）４の浄化性能を十全に発揮させることができる。
【００７０】
また、本第二実施例において、分流部１５ａは、曲がり方向外側に向かって凸な断面形状を有して構成することができ、このようにすれば、分流部１５ａと曲管部１１の曲がり方向外側の内壁１１ｂとの間の距離を、排気流れの左右方向に関して均一化することができる。こうすることにより、分流部１５ａと曲管部１１の曲がり方向外側の内壁１１ｂとの間を流れる外側の排気流れ１ｂを安定させ、整流フィン１５を設置したことによる排気抵抗の増加を極力抑制することができる。
【００７１】
また、本第二実施例において、誘導部１５ｂは、曲がり方向外側に向かって凸な断面形状を有して構成することができ、このようにすれば、分流部１５ａに沿って流れてきた内側の排気流れ１ａが誘導部１５ｂに衝突する際、内側の排気流れ１ａが誘導部１５ｂの両脇から左右に逸れて曲がり方向外側に流れてしまうことを防止し、内側の排気流れ１ａの曲がり方向内側への誘導をより確実に行うことができる。
【００７２】
尚、本発明の排気浄化装置は、上述の実施例にのみ限定されるものではなく、例えば、整流フィンによって排気ガスの流れを誘導される浄化材としては選択還元型触媒だけでなく、三元触媒やパティキュレートフィルタのような他の種類のものをも想定し得ること、また、添加される還元剤は尿素水に限らず燃料等であっても良いこと等、本発明の要旨を逸脱しない範囲内において種々変更を加え得ることは勿論である。
【符号の説明】
【００７３】
１    排気ガス
１ａ  内側の排気流れ
１ｂ  外側の排気流れ
２    排気管
４    浄化材（選択還元型触媒）
６    ケーシング
７Ｃ  ガス分散室
１１    曲管部
１１ａ  内壁
１５    整流フィン
１５ａ  分流部
１５ｂ  誘導部
１５ｃ  支持部
【図１】
0006571451.tif 000002
【図２】
0006571451.tif 000003
【図３】
0006571451.tif 000004
【図４】
0006571451.tif 000005
【図５】
0006571451.tif 000006
【図６】
0006571451.tif 000007
【図７】
0006571451.tif 000008
【図８】
0006571451.tif 000009
【図９】
0006571451.tif 000010
【図１０】
0006571451.tif 000011